(57)【要約】【課題】券面に印刷されている乗車券情報を光学的に読み取り、２ラッチ乗継駅での利用者の乗り継ぎにかかる改札処理を適正に処理することができ、且つ、システムにかかる構成が複雑化するのを抑えた自動改札機を提供する。【解決手段】自動改札機１は、読取部４が、乗車券の券面に２次元バーコードで印刷されている乗車券情報を光学的に読み取る。読取部が読み取った乗車券情報を用いて、駅構内からの利用者の出場を許可するかどうかを判定する。自動改札機１は、駅構内からの利用者の出場を許可すると判定した場合に、発行部５が今回の乗り継ぎにかかる乗継情報を含む乗車券情報を券面に印刷した乗継乗車券を発行する。【選択図】図２
2012123506.tif 000002
【特許請求の範囲】
【請求項１】
利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅の前記一方の駅に設置され、この一方の駅の改札通路を通って駅構内から出場する利用者に対して改札処理を行う自動改札機において、
乗車券の券面に二次元バーコードで印刷されている乗車券情報を光学的に読み取る読取手段と、
前記読取手段が読み取った乗車券情報を用いて、駅構内からの利用者の出場を許可するかどうかを判定する判定手段と、
前記判定手段が駅構内からの利用者の出場を許可すると判定した場合に、今回の乗り継ぎにかかる乗継情報を含む乗車券情報を二次元バーコードで券面に印刷した乗継乗車券を発行する乗継乗車券発行手段と、を備えた自動改札機。
【請求項２】
投入口に投入された乗車券を、前記読取手段における乗車券情報の読取位置に搬送する搬送手段と、
前記判定手段が駅構内からの利用者の出場を許可しないと判定した場合に、前記乗継乗車券発行手段による乗継乗車券の発行を禁止するとともに、前記搬送手段に対して、前記投入口に今回投入され、前記読取位置に搬送した乗車券の放出を指示する制御手段と、を備えた請求項１に記載の自動改札機。
【請求項３】
前記判定手段が駅構内からの利用者の出場を許可すると判定した場合に、前記投入口に今回投入され、前記読取位置に搬送した乗車券を回収する回収手段を備えた請求項２に記載の自動改札機。
【請求項４】
前記乗継乗車券発行手段は、前記判定手段が駅構内からの利用者の出場を許可すると判定した場合に、前記投入口に今回投入され、前記読取位置に搬送した乗車券に、乗継情報を含む乗車券情報を二次元バーコードで印刷し、これを乗継乗車券として発行する、請求項２に記載の自動改札機。
【発明の詳細な説明】
【技術分野】
【０００１】
この発明は、利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅に設置され、駅構内から出場する利用者に対して改札処理を行う自動改札機に関する。
【背景技術】
【０００２】
従来、鉄道の駅では、駅構内に入場する利用者や、駅構内から出場する利用者に対する改札処理を自動改札機で行っている。自動改札機は、周知のように、改札通路を通って駅構内に入場する利用者や、駅構内から出場する利用者が所持している乗車券（キップ、定期券等）に記録されている乗車券情報を読み取る。そして、自動改札機は、読み取った乗車券情報に基づいて、改札通路における利用者の通行（駅構内への入場や駅構内からの出場）を許可するかどうかを判定する。自動改札機は、改札通路における利用者の通行を許可する場合、その利用者にとって出口側に設けられている扉を開し、反対に許可しない場合、この扉を閉する。
【０００３】
また、最近では、乗車券情報を券面に２次元バーコード（例えば、ＱＲコード）で印刷した乗車券（キップ）を処理する自動改札機がある（特許文献１、２等参照）。
【０００４】
鉄道網には、一方の駅の改札通路を通って、この一方の駅の駅構内から一旦出場し、その後、他方の駅の改札通路を通って、この他方の駅の駅構内に入場して線路を乗り継ぐ２ラッチ乗継駅がある。乗車券がキップである利用者は、２ラッチ乗継駅を利用して線路を乗り継ぐ場合、乗車駅でキップを購入し、このキップで乗車駅に入場し、２ラッチ乗継駅の一方の駅から出場する。その後、乗車駅で購入したキップで、２ラッチ乗継駅の他方の駅に入場し、線路を乗り継ぐ。
【０００５】
特許文献１、２では、乗車券情報を券面に２次元バーコードで印刷したキップで、上述の２ラッチ乗継駅における利用者の線路の乗り継ぎを適性に処理する自動改札機を提案している。具体的には、２ラッチ乗継駅の一方の駅に設置した出場用の自動改札機が、出場する利用者のキップの発行番号等を含む乗継者出場情報を出力する。２ラッチ乗継駅の他方の駅に設置した入場用の自動改札機は、入場する利用者のキップの発行番号等を含む乗継者出場情報を読み取り、一方の駅に設置した出場用の自動改札機が出力した乗継者出場情報と、今回読み取った乗車券情報と、を照合し、当該利用者の入場可否を判定している。
【先行技術文献】
【特許文献】
【０００６】
【特許文献１】特開２００９−  ７５６９９号公報
【特許文献２】特開２００９−  ７５７００号公報
【発明の概要】
【発明が解決しようとする課題】
【０００７】
しかしながら、特許文献１、２では、２ラッチ乗継駅の一方の駅に設置した出場用の自動改札機が出力した乗継者出場情報を、サーバや、他方の駅に設置した入場用の自動改札機で受信し管理している。すなわち、乗継者出場情報を出力する構成や、この乗継者出場情報を受信し管理するための構成が必要であった。このため、システムにかかる構成が複雑化し、システムの構築にかかるコストが高いという問題があった。
【０００８】
この発明の目的は、券面に印刷されている乗車券情報を光学的に読み取り、２ラッチ乗継駅での利用者の乗り継ぎにかかる改札処理を適正に処理することができ、且つ、システムにかかる構成が複雑化するのを抑えた自動改札機を提供することにある。
【課題を解決するための手段】
【０００９】
この発明の自動改札機は、上記課題を解決し、その目的を達するために、以下のように構成している。
【００１０】
この自動改札機は、利用者が、一方の駅の改札通路を通って、この一方の駅の駅構内から一旦出場し、その後、他方の駅の改札通路を通って、この他方の駅の駅構内に入場して線路を乗り継ぐ２ラッチ乗継駅の前記一方の駅に設置され、この一方の駅の改札通路を通って駅構内から出場する利用者に対して改札処理を行う。すなわち、２ラッチ乗継駅に設置する出場用自動改札機である。
【００１１】
この自動改札機では、読取手段が、乗車券の券面に印刷されている乗車券情報を光学的に読み取る。乗車券情報は、２次元バーコード（例えば、ＱＲコード）で券面に印刷されている。読取手段が読み取った乗車券情報を用いて、判定手段が駅構内からの利用者の出場を許可するかどうかを判定する。そして、判定手段が駅構内からの利用者の出場を許可すると判定した場合に、乗継乗車券発行手段が今回の乗り継ぎにかかる乗継情報を含む乗車券情報を券面に印刷した乗継乗車券を発行する。
【００１２】
したがって、２ラッチ乗継駅で線路を乗り継ぐ利用者は、２ラッチ乗継駅の他方の駅に設置されている入場用自動改札機に、今回発行された乗継乗車券の券面に印刷されている乗継情報を含む乗車券情報を読み取らせる。入場用自動改札機は、読み取った乗継情報を含む乗車券情報を用いて、当該利用者の入場を許可するかどうかを判定する。したがって、２ラッチ乗継駅の他方の駅に設置している入場用自動改札機は、利用者の乗り継ぎを適正に処理できる。言い換えれば、２ラッチ乗継駅での利用者の乗り継ぎにかかる改札処理を適正に処理することができる。また、システムにかかる構成が複雑化するのを抑え、システムの構築にかかるコストが十分に抑制できる。
【００１３】
また、投入口に投入された乗車券を、読取手段における乗車券情報の読取位置に搬送する搬送手段を設けてもよい。この場合には、判定手段が駅構内からの利用者の出場を許可しないと判定すると、乗継乗車券発行手段による乗継乗車券の発行を禁止するとともに、搬送手段に対して、投入口に今回投入され、読取位置に搬送した乗車券を放出（利用者に返却）すればよい。
【００１４】
また、判定手段が駅構内からの利用者の出場を許可すると判定した場合には、投入口に今回投入され、読取位置に搬送した乗車券を回収し、乗継乗車券発行手段が乗継乗車券を新たに発行する構成としてよい。この場合には、投入口に投入された乗車券を回収すればよい。
【００１５】
さらに、投入口に今回投入され、読取位置に搬送した乗車券に対して、今回の乗り継ぎにかかる乗継情報を含む乗車券情報を券面に印刷し、これを乗継乗車券として発行する構成としてもよい。乗継情報を含む乗車券情報は、すでに乗車券情報が印刷されている面の反対面に印刷してもよい、すでに印刷されている乗車券情報に対して、上下や、左右に並べて印刷してもよい。
【発明の効果】
【００１６】
この発明によれば、２ラッチ乗継駅での利用者の乗り継ぎにかかる改札処理を適正に処理することができる。また、システムにかかる構成が複雑化するのを抑え、システムの構築にかかるコストが十分に抑制できる。
【図面の簡単な説明】
【００１７】
【図１】２ラッチ乗継駅がある線路網を示す概略図である。
【図２】自動改札機の主要部の構成を示すブロック図である。
【図３】自動改札機の内部構造を示す概略図である。
【図４】自動改札機の動作を示すフローチャートである。
【図５】券売機で発券される乗車券を示す図である。
【図６】自動改札機が発行する乗継乗車券を示す図である。
【図７】別の自動改札機の内部構造を示す概略図である。
【図８】別の自動改札機の動作を示すフローチャートである。
【図９】別の自動改札機が発行する乗継乗車券を示す図である。
【図１０】別の自動改札機が発行する乗継乗車券を示す図である。
【発明を実施するための形態】
【００１８】
以下、この発明の実施形態である自動改札機について説明する。
【００１９】
図１は、２ラッチ乗継駅が存在する線路網を示す概略図である。図１では、第１の線路、および第２の線路の２つの線路を示している。駅Ａ、Ｂは、第１の線路の駅であり、駅Ｃ、Ｄは、第２の線路の駅である。駅Ｂ、および駅Ｃは、第１の線路と第２の線路との乗り継ぎが行える２ラッチ乗継駅である。２ラッチ乗継駅では、利用者が一方の駅から出場し、その後、他方の駅に入場して線路を乗り継ぐ。一方の駅から出場するとき、および他方の駅に入場するときに、利用者に対して改札処理を行う。また、駅Ａ、および駅Ｄは、他の線路に乗り継ぎできない駅（以下、一般駅と言う。）である。例えば、駅Ａから駅Ｄに移動する利用者は、第１の線路で駅Ａから駅Ｂに移動し、２ラッチ乗継駅である駅Ｂから出場する。その後、２ラッチ乗継駅である駅Ｃに入場し、第２の線路で駅Ｃから駅Ｄに移動する。また、利用者は、駅Ａで、駅Ｄまで移動できるキップを購入することができる。駅Ｄから、駅Ａに移動する利用者は、上記と逆の経路で移動する。
【００２０】
なお、第１の線路、および第２の線路には、駅Ａ〜Ｄ以外の駅もあるが、ここでは図示を省略している。
【００２１】
この実施形態にかかる自動改札機は、２ラッチ乗継駅（図１に示す駅Ｂ、駅Ｃ）に設置し、駅構内から出場する利用者に対して改札処理を行う出場用の自動改札機である。
【００２２】
図２は、この自動改札機の主要部の構成を示すブロック図である。図３は、この自動改札機の内部構造を示す概略図である。この自動改札機１は、制御部２と、搬送部３と、読取部４と、発行部５と、扉開閉部６と、を備えている。
【００２３】
制御部２は、本体各部の動作を制御する。制御部２は、乗車券情報に基づいて、改札通路における利用者の通行可否を判定する処理等も実行する。
【００２４】
搬送部３は、投入口３ａと、放出口３ｂとを結ぶ乗車券搬送路３ｃに沿って乗車券を搬送する。投入口３ａは、改札通路の入口側（図中で示す左側）に設けられ、放出口３ｂは、改札通路の略中央に設けられている。上述したように、この自動改札機１は、出場用の自動改札機であるので、利用者にとっての改札通路の入口側は、駅構内側である。乗車券搬送路３ｃは、自動改札機１本体内部に形成されている。また、自動改札機１本体内部には、乗車券を回収する回収ボックス３１が設けられている。乗車券搬送路３ｃは、分岐路を有し、この分岐路が回収ボックス３１につながっている。図中に示す３３は、乗車券の搬送先を、放出口３ｂ、または回収ボックス３１（分岐路）のどちらにするかを切り換えるフラッパ３２を駆動するソレノイドである。
【００２５】
読取部４は、２つの光学センサ４１、４２を有している。２つの光学センサ４１、４２は、２次元バーコード（ここでは、ＱＲコード）を読み取るセンサであり、乗車券搬送路３ｃを挟んで、対向する向きに取り付けている。したがって、乗車券搬送路３ｃに沿って搬送されている乗車券の表裏面の向きにかかわらず、光学センサ４１、４２のどちらか一方で、この乗車券に印刷されている２次元バーコードを読み取ることができる。
【００２６】
発行部５は、後述する乗継乗車券を発行する。発行部５は、自動改札機１本体内部に収納しているロール紙５０を発行する乗車券のサイズにカットする。また、印字ヘッド５１で乗車券情報を２次元バーコードで印字（印刷）し、発行口５ａに放出する。発行口５ａは、放出口３ｂよりも、改札通路の出口側に設けている。
【００２７】
扉開閉部６は、改札通路の出口側に設けた扉６ａを開閉する。扉６ａを開することにより、駅構内からの利用者の出場を許可し、扉６ａを閉することにより、駅構内からの利用者の出場を禁止する。
【００２８】
次に、この自動改札機１の動作について説明する。図４は、この自動改札機の動作を示すフローチャートである。ここでは、駅Ａから駅Ｄに移動する利用者を例にして説明する。すなわち、この実施形態にかかる自動改札機１は、駅Ｂに設置している出場用の自動改札機である。また、ここでは、駅Ａから駅Ｄに移動する利用者の乗車券は、キップである。第１の線路の駅Ａから、第２の線路の駅Ｄに移動する利用者は、上述したように、図１に示す第１の線路で駅Ａから駅Ｂに移動し、２ラッチ乗継駅である駅Ｂから出場する。その後、２ラッチ乗継駅である駅Ｃに入場し、第２の線路で駅Ｃから駅Ｄに移動する。
【００２９】
利用者は、駅Ａに入場する前に、券売機で乗車券（キップ）を購入する。利用者が購入するキップは、図５に示すように、発行駅、金額、発行日時、発行番号（ＩＤ）等の乗車券情報が文字で印刷されているとともに、これらの乗車券情報を示す２次元バーコード（例えば、ＱＲコード）で印刷している。
【００３０】
利用者は、購入したキップで、駅Ａに設置されている入場用の自動改札機の改札通路を通って、駅Ａに入場する。駅Ａに設置されている入場用の自動改札機は、改札通路の入口側（駅構内の反対側）に配置した読取位置に翳されたキップに印刷されている２次元バーコードを読み取る構成であり、図２に示した搬送部３にかかる構成を備えていない。また、この入場用の自動改札機は、上述した発行部５にかかる構成も備えていない。利用者は、駅Ａに入場するときに、改札通路の入口側に配置されている読取位置にキップに印刷されている２次元バーコードを翳す。駅Ａに設置されている入場用の自動改札機は、この２次元バーコードを読み取り、得られた乗車券情報に基づいて、当該利用者に対する改札通路の通行可否（駅Ａへの入場可否）を判定する。駅Ａへの入場が許可された利用者は、第１の線路を利用して、駅Ａから２ラッチ乗継駅である駅Ｂに移動する。
【００３１】
なお、駅Ａに入場した利用者は、キップを所持している。また、各駅に設置されている入場用の自動改札機は、上述した駅Ａに設置されている入場用の自動改札機と同じ構成である。
【００３２】
駅Ｂに到着した利用者は、２ラッチ乗継駅である駅Ｂから出場し、その後、２ラッチ乗継駅である駅Ｃに入場する。駅Ｂには、この実施形態にかかる自動改札機１が、出場用の自動改札機として設置されている。図４を参照しながら、この実施形態にかかる自動改札機１の動作を説明する。
【００３３】
自動改札機１は、投入口３ａにキップが投入されるのを待っている（ｓ１）。第２の線路を利用して駅Ｄに移動する利用者は、所持しているキップを投入口３ａに投入する。
【００３４】
自動改札機１は、搬送部３が投入口３ａに投入されたキップを光学センサ４１の読取位置に搬送する（ｓ２）。自動改札機１は、光学センサ４１で乗車券に印刷されている２次元バーコードの読取が行えなければ（ｓ３）、この乗車券を光学センサ４２の読取位置に搬送する（ｓ４）。自動改札機１は、ｓ２〜ｓ４にかかる処理を行うことで、投入口３ａに投入されたキップの表裏面（２次元バーコードが印刷されている面）の向きに関係なく、このキップに印刷されている２次元バーコードを読み取ることができる。
【００３５】
自動改札機１は、乗車券から読み取った２次元バーコードから得られた乗車券情報に基づいて、当該利用者に対する改札通路の通行可否（駅Ｂからの出場可否）を判定する（ｓ５）。自動改札機１は、駅Ｂからの出場を許可しないと判定すると、扉開閉部６が扉６ａを閉するとともに（ｓ６）、今回投入口３ａに投入されたキップを放出口３ｂに放出する（ｓ７）。
【００３６】
なお、駅Ｂからの出場が許可されなかった利用者は、放出口３ｂに放出された乗車券を持って、駅構内に設置されている精算機（不図示）で精算処理を行えばよい。
【００３７】
自動改札機１は、ｓ５で駅Ｂからの出場を許可すると判定すると、今回投入口３ａに投入されたキップを回収ボックス３１に搬送し、回収する（ｓ８）。キップの搬送先（放出口３ｂ、または回収ボックス３１）の切り換えは、ソレノイド３３によるフラッパ３２の駆動制御で行う。
【００３８】
また、自動改札機１は、発行部５において乗継乗車券（乗継キップ）を発行する（ｓ９）。制御部２は、今回ｓ８で回収したキップの乗車券情報、および今回の乗継にかかる乗継情報（駅Ｂでの出場にかかる情報）を含む乗車券情報を生成する。発行部５は、制御部２が生成した乗車券情報を示す２次元バーコードを、本体内部に収納しているロール紙５０に印刷する。また、この乗車券情報の一部を文字で印刷する。発行部５は、今回乗車券情報を印刷した部分をカットし、乗継キップとして発行する。自動改札機１は、乗継キップを発行口５ａに放出する。また、自動改札機１は、扉６ａを開し（ｓ１０）、利用者が駅構内から出場するのを許可する。
【００３９】
図６は、ｓ９で発行する乗継キップを示す図である。図６に示すように、乗継キップには、今回ｓ８で回収した乗車券にかかる、発行駅、金額、発行日時、発行番号（ＩＤ）等の乗車券情報に加えて、駅Ｂでの出場にかかる乗継情報についても券面に文字で印刷している。また、券面には、これらの情報（乗車券情報）を示す２次元バーコードも印刷されている。
【００４０】
駅Ｂからの出場が許可された利用者は、発行口５ａに放出された乗継キップを受け取って、第２の線路に乗り換えるために、２ラッチ乗継駅である駅Ｃに移動する。この利用者は、上述した駅Ａで入場したときと同様に、この駅Ｃに設置されている入場用の自動改札機の改札通路の入口側に位置する読取位置に、乗継キップに印刷されている２次元バーコードを翳し、駅Ｃに入場する。駅Ｃに設置されている入場用の自動改札機も、上述した駅Ａに設置されている入場用の自動改札機と同様に、読み取った２次元バーコードが示す乗車券情報を用いて、改札通路における利用者の通行可否を判断する。改札通路の通行が許可され、駅Ｃに入場した利用者は、第２の線路を利用して、駅Ｄに移動する。
【００４１】
このように、２ラッチ乗継駅の一方の駅（上記の例では、駅Ｂ）に設置されている出場用の自動改札機１が、利用者が所持しているキップを回収し、乗継情報を追加した乗継キップを発行するので、２ラッチ乗継駅の他方の駅（上記の例では、駅Ｃ）に設置されている入場用自動改札機に、利用者の乗り継ぎを適正に処理させることができる。また、２ラッチ乗継駅の一方の駅と、他方の駅との間で、線路を乗り継ぐ利用者が所持するキップの情報（乗車券情報）の受け渡し（通信）や、管理にかかる処理を行う必要がない。このため、システムにかかる構成が複雑化するのを抑えられるので、システムの構築にかかるコストが十分に抑制できる。
【００４２】
また、上記の例では、利用者がキップを投入口３ａに投入するとしたが、入場用の自動改札機と同様に利用者がキップに印刷されている２次元バーコードを読取位置に翳す構成としてもよい。この場合には、搬送部３を不要にできるとともに、２つの光学センサ４１、４２を１つにでき、自動改札機１本体のコストダウンが図れる。また、２ラッチ乗継駅で、出場が許可された利用者が所持していたキップについては、利用者に投入してもらう回収箱を改札通路の出口付近等に設置しておけばよい。
【００４３】
次に、この発明の別の実施形態にかかる自動改札機１について説明する。この例にかかる自動改札機１は、利用者が投入口３ａに投入したキップを回収するのではなく、このキップを乗継キップとして発行する。
【００４４】
この例にかかる自動改札機１も、主要部は図２に示す構成であるが、内部の構造が異なる。図７は、この例にかかる自動改札機の内部構造を示す概略図である。図７では、図３と同じ構成については、同じ符合を付している。
【００４５】
図７に示すように、この自動改札機１は、ロール紙５０を本体内部に収納しておらず、発行口５ａも設けていない。また、発行部５は、２つの印字ヘッド５１、５２を有し、この２つの印字ヘッド５１、５２を、乗車券搬送路３ｃを挟んで対向する向きに取り付けている。したがって、乗車券搬送路３ｃに沿って搬送されている乗車券の表裏面の向きにかかわらず、この乗車券の特定の面に対して２次元バーコード等の印刷が行える。
【００４６】
なお、図７に示し、ここで説明していない構成については、上述した例の自動改札機１と同様である。
【００４７】
図８は、この自動改札機の動作を示すフローチャートである。図８では、上述した例の自動改札機と同様の処理については、同じステップ番号を付している。この実施形態の自動改札機１も、上述した例の自動改札機と同様にｓ１〜ｓ５の処理を行い、利用者の出場を許可しないと判定すると、ｓ６、およびｓ７にかかる処理を行う。
【００４８】
この自動改札機１は、ｓ５で利用者の出場を許可すると判定すると、今回投入口３ａに投入されたキップに対して乗継乗車券情報を印刷する印字ヘッド５１、５２を選択する（ｓ２１）。ｓ２１では、今回投入口３ａに投入されたキップから乗車券情報（２次元バーコード）を読み取った面を判断し、その反対面に対して印刷が行える印字ヘッド５１（、または５２）を選択する。
【００４９】
自動改札機１は、搬送部３において、乗車券を搬送しながら、ｓ２１で選択した印字ヘッドで、今回の乗継にかかる乗継情報（駅Ｂでの出場にかかる情報）を含む乗車券情報を２次元バーコードで印刷し（ｓ２２）、これを乗継キップとして放出口３ｂに放出する（ｓ２３）。また、自動改札機１は、ｓ１０で扉６ａを開し、利用者の出場を許可する。
【００５０】
図９は、ｓ２２で、投入されたキップの裏面に印刷される乗車券情報を示す図である。このキップの表面には、上述した図５に示す、乗車券情報にかかる印刷がなされている。ｓ２２では、このキップの発行駅等を示す文字を裏面に印刷しないが、これらは、このキップの表面に印刷されているので、特に問題は生じない。
【００５１】
駅Ｂからの出場が許可された利用者は、上記した例の場合と同様に、放出口３ｂに放出された乗継キップ（実際には、今回投入したキップであって、裏面に、今回の乗継にかかる乗継情報を含む乗車券情報が印刷されたキップ）を受け取って、第２の線路に乗り換えるために、２ラッチ乗継駅である駅Ｃに移動する。この利用者は、上述した駅Ａで入場したときと同様に、この駅Ｃに設置されている入場用の自動改札機の改札通路の入口側に位置する読取位置に、乗継キップに印刷されている２次元バーコード（今回の乗継にかかる乗継情報を含む乗車券情報の２次元バーコード）を翳し、駅Ｃに入場する。
【００５２】
上述したように、駅Ｃに設置されている入場用の自動改札機も、上述した駅Ａに設置されている入場用の自動改札機と同様に、読み取った２次元バーコードが示す乗車券情報を用いて、改札通路における利用者の通行可否を判断する。改札通路の通行が許可され、駅Ｃに入場した利用者は、第２の線路を利用して、駅Ｄに移動する。
【００５３】
このように、この自動改札機１も、上記の例と同様に、２ラッチ乗継駅の他方の駅（上記の例では、駅Ｃ）に設置されている入場用自動改札機に、利用者の乗り継ぎを適正に処理させることができる。また、２ラッチ乗継駅の一方の駅と、他方の駅との間で、線路を乗り継ぐ利用者が所持するキップの情報（乗車券情報）の受け渡し（通信）や、管理にかかる処理を行う必要がないので、システムにかかる構成が複雑化するのを抑えられる。
【００５４】
また、上記の例では、キップの裏面に乗継情報を含む乗車券情報を印刷するとしたが、例えば、図１０に示すように、一方の面に、上下に並べて印刷する構成としてもよい。図１０（Ａ）は、券売機で発行されたキップを示しており、図１０（Ｂ）は、自動改札機１が乗継情報を含む乗車券情報を印刷した乗継キップを示している。
【００５５】
また、乗車券搬送路３ｃに搬送しているキップの表裏面を反転させるための経路を備えた構成にすれば、上記の例において、２つ設けた光学センサ４１、４２や、印字ヘッド５１、５２を１つにできる。
【符号の説明】
【００５６】
１…自動改札機
２…制御部
３…搬送部
３ａ…投入口
３ｂ…放出口
３ｃ…乗車券搬送路
４…読取部
５…発行部
５ａ…発行口
６…扉開閉部
６ａ…扉
４１、４２…光学センサ
５０…ロール紙
５１、５２…印字ヘッド
【図１】
2012123506.tif 000003
【図２】
2012123506.tif 000004
【図３】
2012123506.tif 000005
【図４】
2012123506.tif 000006
【図５】
2012123506.tif 000007
【図６】
2012123506.tif 000008
【図７】
2012123506.tif 000009
【図８】
2012123506.tif 000010
【図９】
2012123506.tif 000011
【図１０】
2012123506.tif 000012